(57)【特許請求の範囲】
【請求項１】
矩形状の鏡板と、
該鏡板の周縁部を囲繞し、各２個の縦框及び横框を有する框と
を備える框戸状の建具において、
各縦框は、
金属を用いてなり、前記鏡板の縦辺部に配される縦框基体と、
木材又は木質材を用いてなり、前記縦框基体を覆う非金属製の縦外装部材と
を有し、
前記縦外装部材には、前記縦框基体より長い嵌込溝が設けられており、該嵌込溝の長さ方向非端部に前記縦框基体が嵌め込まれており、
一方の前記縦外装部材には、取っ手を取り付けるための取付部が設けられており、
各横框は、
両端部が２個の前記縦外装部材夫々の嵌込溝に挿入されることによって、各縦框基体に対して横勝ちに配され、各縦外装部材に対して縦勝ちに配されていることを特徴とする建具。
【請求項２】
各横框は、
金属を用いてなり、前記鏡板の横辺部に配される横框基体と、
該横框基体を覆い、該横框基体よりも高い断熱性を有する横外装部材とを有し、
少なくとも前記横框基体は、両端部が２個の前記縦外装部材夫々の嵌込溝に挿入されることによって、各縦框基体に対して横勝ちに配され、各縦外装部材に対して縦勝ちに配されていることを特徴とする請求項１に記載の建具。
【請求項３】
各縦框は、前記縦框基体と前記縦外装部材との間に介在し、前記縦框基体よりも高い断熱性を有する断熱部材を更に有することを特徴とする請求項１又は２記載の建具。
【発明の詳細な説明】
【技術分野】
【０００１】
本発明は、框戸状の建具に関する。
【背景技術】
【０００２】
框戸は、矩形状の鏡板と、鏡板の周縁部を囲繞する框とを備えている。
框は木材又は木質材を用いてなり、各２個の縦框及び横框とを有する。２個の縦框は鏡板の２本の縦辺部に配され、２個の横框は鏡板の２本の横辺部に配されている。
【０００３】
ところで、フラッシュ構造の鏡板は、２枚の化粧板と芯材とを有する。芯材は、２枚の化粧板間に介在しており、例えば縦心棒と横心棒とを格子状に組み合わせてなる。従来、縦心棒に縦方向の溝を設け、この溝に金属製の補強部材を嵌合させることによって、剛性及び機械的強度等（以下、単に強度という）を向上させた芯材を得ることがなされている（特許文献１参照）。
【先行技術文献】
【特許文献】
【０００４】
【特許文献１】特許第３９５９６８５号公報
【発明の概要】
【発明が解決しようとする課題】
【０００５】
框戸の意匠性を向上させるために、縦框の幅（縦框における框戸の横幅方向の長さ）及び／又は横框の幅（横框における框戸の高さ方向の長さ）を狭くした場合、框の強度が低下するので、框戸全体の強度も低下する。
【０００６】
このような問題を解消するために、特許文献１に記載の鏡板を用いることが考えられる。何故ならば、框の強度が低くとも、鏡板の強度が高ければ、全体の強度を維持することができるからである。
しかしながら、この場合には、框の強度が低くとも框戸全体の強度を維持することができるほど強度が高い鏡板しか用いることができなくなる。故に、框戸の設計の自由度が制限されてしまう。従って、鏡板の強度を向上させるより、框の強度低下を抑制する方が望ましい。
【０００７】
本発明は斯かる事情に鑑みてなされたものであり、その主たる目的は、設計の自由度を犠牲にすることなく意匠性の向上と強度の維持とを両立させることができる建具を提供することにある。
【課題を解決するための手段】
【０００８】
本発明に係る建具は、矩形状の鏡板と、該鏡板の周縁部を囲繞し、各２個の縦框及び横框を有する框とを備える框戸状の建具において、各縦框は、金属を用いてなり、前記鏡板の縦辺部に配される縦框基体と、木材又は木質材を用いてなり、前記縦框基体を覆う非金属製の縦外装部材とを有し、前記縦外装部材には、前記縦框基体より長い嵌込溝が設けられており、該嵌込溝の長さ方向非端部に前記縦框基体が嵌め込まれており、一方の前記縦外装部材には、取っ手を取り付けるための取付部が設けられており、各横框は、両端部が２個の前記縦外装部材夫々の嵌込溝に挿入されることによって、各縦框基体に対して横勝ちに配され、各縦外装部材に対して縦勝ちに配されていることを特徴とする。
【０００９】
本発明に係る建具は、各横框は、金属を用いてなり、前記鏡板の横辺部に配される横框基体と、該横框基体を覆い、該横框基体よりも高い断熱性を有する横外装部材とを有し、少なくとも前記横框基体は、両端部が２個の前記縦外装部材夫々の嵌込溝に挿入されることによって、各縦框基体に対して横勝ちに配され、各縦外装部材に対して縦勝ちに配されていることを特徴とする。
【００１０】
本発明に係る建具は、各縦框は、前記縦框基体と前記縦外装部材との間に介在し、前記縦框基体よりも高い断熱性を有する断熱部材を更に有することを特徴とする。
【００１１】
本発明にあっては、縦框が、金属を用いてなる縦框基体を有するので、木材又は木質材のみを用いてなる縦框に比べて、縦框の強度が向上する。
また、鏡板の２本の縦辺部に配される２個の縦框の強度が向上するので、縦框の強度だけを向上させた場合であっても、従来の框に比べて、強度が向上する。
しかも、縦框基体と横框とは横勝ちに配されているので、縦框基体と横框とが縦勝ちに配されている場合に比べて、框の強度が向上する。
【００１２】
縦框基体は断熱性が低いが、縦外装部材は断熱性が高いので、金属を用いることによる建具の断熱性の低下が抑制される。
一方、縦框基体は熱伝達性が高いので、建具の内部における高さ方向の温度分布が均一になり易い。故に、建具の内部における高さ方向の温度分布の不均一さに起因する建具の歪み又は破損等が抑制される。
【００１３】
縦外装部材と横框とは縦勝ちに配されているので、縦外装部材と横框とが横勝ちに配されている場合に比べて、框の意匠性が向上する。
取付部は縦外装部材に設けられるので、縦框基体は縦外装部材に比べて簡易な形状のものであってもよい。
【００１４】
本発明にあっては、横框が、金属を用いてなる横框基体を有するので、木材又は木質材のみを用いてなる横框に比べて、横框の強度が向上する。従って、縦框の強度だけを向上させた場合に比べて、框の強度が向上する。
横框基体は断熱性が低いが、横外装部材は断熱性が高いので、金属を用いることによる建具の断熱性の低下が抑制される。
【００１５】
本発明にあっては、縦框基体と縦外装部材との間に断熱部材が介在していることによって、金属を用いることによる建具の断熱性の低下が更に抑制される。
【発明の効果】
【００１６】
本発明の建具による場合、框の強度を向上させることができる。故に、建具の意匠性を向上させるために框の幅を狭くしたとしても、框の強度低下を抑制することができるので、建具全体の強度低下も抑制することができる。従って、框の強度低下に伴う建具全体の強度低下を抑制する目的で、鏡板の強度を向上させる必要はない。
以上の結果、建具の設計の自由度を犠牲にすることなく意匠性の向上と強度の維持とを両立させることができる。
【図面の簡単な説明】
【００１７】
【図１】本発明の実施の形態１に係る建具の構成を略示する正面図である。
【図２】建具の構成を略示する分解斜視図である。
【図３】建具が備える縦框の構成を略示する斜視図である。
【図４】縦框の構成を略示する分解斜視図である。
【図５】縦框が有する縦框基体の構成を略示する断面図である。
【図６】建具が備える横框の構成を略示する斜視図である。
【図７】横框の構成を略示する分解斜視図である。
【図８】横框の構成を略示する側面図である。
【図９】建具が備える鏡板の構成を略示する分解斜視図である。
【図１０】本発明の実施の形態２に係る建具の構成を略示する正面図である。
【発明を実施するための形態】
【００１８】
以下、本発明を、その実施の形態を示す図面に基づいて詳述する。以下の説明では、図において矢符で示す上下、前後、及び左右を使用する。
【００１９】
実施の形態  １．
図１及び図２は、本発明の実施の形態１に係る建具１の構成を略示する正面図及び分解斜視図である。
建具１は、縦長の矩形状の框戸である。
建具１には図示しない取っ手（ドア用のハンドル又は引手等）が取り付けられる。このために、建具１の左辺部における上下方向中央部には、取っ手を取り付けるための取付部１０が設けられている。
建具１が開き戸であれば、右辺部に、図示しない蝶番が取り付けられる。建具１が引き戸であれば、上辺部及び下辺部に、図示しない戸車が取り付けられる。建具１が吊り戸であれば、上辺部に、図示しない滑車が取り付けられる。
【００２０】
建具１は、矩形枠状の框１１と矩形状の鏡板１２とを備えている。
框１１は、各２個の縦框２，２及び横框３，３を備えている。
各縦框２は、縦框基体２１と、縦外装部材２２と、断熱部材２３とを備えている。縦框２には、縦框溝２４が設けられている。縦外装部材２２には、嵌込溝２０が設けられている。
各横框３は、横框基体３１と横外装部材３２とを備えている。横框３には、横框溝３３が設けられている。
鏡板１２は、矩形枠部材４１、透光マット４２、及び複数個の縦格子部材４３，４３，…を備えている。図１においては、透光マット４２をハッチングで示している。
【００２１】
図３及び図４は、縦框２の構成を略示する斜視図及び分解斜視図である。
図５は、縦框基体２１の構成を略示する断面図である。
まず、図１〜図５を参照しつつ、縦框２，２について説明する。
縦框２，２の一方及び他方は、鏡板１２の左辺部及び右辺部（縦辺部）に配される。縦框２，２夫々の形状は、互いに左右が逆の鏡像であるので、以下では主に左側の縦框２について説明する。図３〜図５には、左側の縦框２及び左側の縦框２の縦框基体２１が示してある。
縦框２は、木材又は木質材のみを用いてなる従来の縦框より幅狭である。
【００２２】
縦框基体２１は、金属（例えばアルミニウム）を用いてなる中空の縦棒材である。縦框基体２１の外形は、前後方向に長い矩形状の水平断面を有する縦姿勢の四角柱状である。
縦框基体２１には、複数個の貫通孔２１１，２１１，…が上下方向に並設されている。各貫通孔２１１は、縦框基体２１の左右両面を貫通している。
縦框基体２１は、例えば押出成型によって得られた棒状部材を適宜の長さに切断し、更に貫通孔２１１，２１１，…を設けることによって得られる。
【００２３】
縦外装部材２２は、木材及び木質材を用いてなる。
縦外装部材２２は、芯材２２１及び表面材２２２〜２２４を備えている。
芯材２２１は、左右方向に長い矩形状の水平断面を有する縦姿勢の四角柱状である。芯材２２１の前後方向の長さは、縦框基体２１の前後方向の長さと同程度である。芯材２２１の上下方向及び左右方向の長さは、縦框基体２１の上下方向及び左右方向の長さよりも長い。芯材２２１は、例えば合板又はＬＶＬを用いてなる。
【００２４】
表面材２２２〜２２４夫々は矩形板状である。表面材２２２〜２２４夫々は、例えばＭＤＦを用いてなる。
表面材２２２（及び表面材２２３）は、芯材２２１の前面（及び後面）を全面的に被覆し、且つ、右側へ突出している。表面材２２２，２２３の芯材２２１からの突出長さは、縦框基体２１の左右方向の長さよりも長い。
この結果、表面材２２２の後面と表面材２２３の前面と芯材２２１の右面とを内面とする嵌込溝２０が形成されている。嵌込溝２０の上下方向及び左右方向の長さは、縦框基体２１の上下方向及び左右方向の長さよりも長い。
【００２５】
表面材２２４は、芯材２２１の左端面を全面的に被覆している。
表面材２２２の前面、表面材２２３の後面、及び表面材２２４の左面は、夫々化粧されている。
表面材２２２〜２２４は、互いに別部材であってもよく、表面材２２２，２２３の左辺部同士を表面材２２４が連結していてもよい。
左側の縦外装部材２２には、取付部１０が設けられている。取付部１０は、縦外装部材２２の上下方向中央部に位置し、前後方向に貫通する貫通孔を含んでいる。右側の縦外装部材２２には、取付部１０は設けられていない。
【００２６】
断熱部材２３は、各矩形板状の前側部材２３１及び後側部材２３２を有する。前側部材２３１及び後側部材２３２夫々の上下方向の長さは、縦框基体２１の上下方向の長さよりも短いが、左右方向の長さは長い。
前側部材２３１及び後側部材２３２夫々は、縦框基体２１よりも高い断熱性を有する。前側部材２３１及び後側部材２３２夫々は、例えば合成樹脂を用いてなる。
【００２７】
前側部材２３１及び後側部材２３２は、縦框基体２１を介在して、前後方向に対面配置されている。このために、前側部材２３１及び後側部材２３２夫々は、例えば両面テープを介して縦框基体２１に接着してある。前側部材２３１（及び後側部材２３２）は、縦框基体２１の前面（及び後面）における上下方向非端部（即ち上端部及び下端部以外）を被覆し、且つ、右側へ突出している。この結果、前側部材２３１の後面と後側部材２３２の前面と縦框基体２１の右面とを内面とする縦框溝２４が形成されている。
【００２８】
縦框基体２１は、嵌込溝２０の長さ方向非端部（即ち、長さ方向両端部以外）に嵌め込まれている。この結果、縦框基体２１は、縦外装部材２２に覆われる。縦框基体２１は、貫通孔２１１，２１１，…を貫通したビス１０１，１０１，…（例えば木ネジ）によって、縦外装部材２２の芯材２２１にビス留めされている。
このとき、断熱部材２３は、縦框基体２１と縦外装部材２２との間に介在する。断熱部材２３の前側部材２３１は縦框基体２１の前面と縦外装部材２２の表面材２２２との間に介在する。同様に、後側部材２３２は縦框基体２１の後面と縦外装部材２２の表面材２２３との間に介在する。
【００２９】
図６〜図８は、建具１が備える横框３の構成を略示する斜視図、分解斜視図、及び側面図である。
次に、図１、図２、及び図６〜図８を参照しつつ、横框３，３について説明する。
横框３，３の一方及び他方は、鏡板１２の上辺部及び下辺部（横辺部）に配される。横框３，３夫々の形状は、互いに上下が逆の鏡像であるので、以下では主に上側の横框３について説明する。図６〜図８には、上側の横框３及び上側の横框３の横框基体３１が示してある。
横框３は、木材又は木質材のみを用いてなる従来の横框より幅狭である。
【００３０】
横框基体３１は、金属（例えばアルミニウム）を用いてなる横棒材である。横框基体３１は、基部３１１と２個の延設部３１２，３１３とを有する。基部３１１は、左右方向の横姿勢の四角筒状である。延設部３１２，３１３は、基部３１１の前壁及び後壁が下方へ延長されたような平板状である。この結果、延設部３１２の後面と延設部３１３の前面と基部３１１の下面とを内面とする横框溝３３が形成されている。
基部３１１の左右方向両端部夫々には、各２個の貫通孔３１４，３１４が前後方向に並設されている。各貫通孔３１４は、基部３１１の上壁及び下壁を貫通している。
横框基体３１は、例えば押出成型によって得られた棒状部材を適宜の長さに切断し、更に貫通孔３１４，３１４，…を設けることによって得られる。
【００３１】
横框基体３１は、左右方向非端部が横外装部材３２に覆われており、左右方向両端部は覆われていない。
横外装部材３２は、各矩形板状の前被覆部材３２１及び後被覆部材３２２を有する。前被覆部材３２１及び後被覆部材３２２夫々は、横框基体３１よりも高い断熱性を有する。前被覆部材３２１及び後被覆部材３２２夫々は、例えば合成樹脂を用いてなる。
【００３２】
前被覆部材３２１及び後被覆部材３２２は、横框基体３１を介在して、前後方向に対面配置されている。このために、前被覆部材３２１及び後被覆部材３２２夫々は、例えば両面テープを介して横框基体３１に接着してある。前被覆部材３２１は、横框基体３１の前面（即ち基部３１１及び延設部３１２夫々の前面）を被覆する。同様に、後被覆部材３２２は、横框基体３１の後面を被覆する。前被覆部材３２１及び後被覆部材３２２夫々の上下方向の長さは、横框基体３１の上下方向の長さと同程度であるが、左右方向の長さは短い。故に、横框基体３１の左右方向両端部は、被覆されずに露出している露出部３１０，３１０である。
前被覆部材３２１の前面及び後被覆部材３２２の後面夫々には、縦框２の表面材２２２，２２３と同様の化粧が施されている。
【００３３】
建具１の取っ手は、取付部１０を用いて左側の縦框２の縦外装部材２２に取り付けられる。また、蝶番、戸車、及び滑車は、何れも、縦外装部材２２に取り付けられる。
【００３４】
図９は、建具１が備える鏡板１２の構成を略示する分解斜視図である。
次に、図１、図２、及び図９を参照しつつ、鏡板１２について説明する。
鏡板１２の左右方向の長さは、横框３の左右方向の長さより短い。
鏡板１２の矩形枠部材４１は、夫々木材又は木質材を用いてなる２個の縦枠部材４１１，４１１と２個の横枠部材４１２，４１２とを有する。隣り合う縦枠部材４１１と横枠部材４１２とは、例えばタッカーを用いて連結されている。
各縦枠部材４１１は、矩形枠の内面側に縦溝を有する。各横枠部材４１２は、矩形枠の内面側に横溝を有する。各縦溝及び横溝には、接着剤が注入される。
各横枠部材４１２の内面側には、複数個の凹部が左右方向に並設されている。
【００３５】
透光マット４２は、合成樹脂（例えばポリスチレン）を用いてなる矩形状である。透光マット４２の周縁部は、矩形枠部材４１の各２本の縦溝及び横溝に挿入され、接着剤を介して矩形枠部材４１に取り付けられている。
各縦格子部材４３は、縦姿勢の四角柱状である。縦格子部材４３，４３，…は、２本ずつ透光マット４２を介して対向配置されている。縦格子部材４３，４３，…は左右方向に等間隔で並置されて、透光マット４２の前面（及び後面）に、両面テープを介して取り付けられている。各縦格子部材４３の上下方向両端部は、横枠部材４１２，４１２の凹部に嵌め込まれた状態で、例えばタッカーを用いて横枠部材４１２，４１２に取り付けられている。
【００３６】
以上のような鏡板１２は縦格子状であり、左右方向に隣り合う縦格子部材４３，４３，…間に採光部を有する。透光マット４２と各縦格子部材４３との段差によって、採光部に深い奥行きが感じられるので、鏡板１２の意匠は、立体的な印象を有する。
鏡板１２は、例えばフラッシュ構造又はハニカム構造等を有する一般的な鏡板に比べて強度が低い。
矩形枠部材４１は木材又は木質材を用いてなるので、矩形枠部材４１が金属を用いてなる場合よりも、透光マット４２を損傷し難い。
なお、鏡板１２は、透光マット４２に替えて、例えばガラス又は合成樹脂を用いてなる透光板を備えていてもよい。
【００３７】
次に、図１及び図２を参照しつつ、建具１の組み立てについて説明する。
縦框２，２の縦框溝２４，２４には、鏡板１２の左辺部及び右辺部が嵌め込まれる。このために、縦框溝２４，２４の内面には、接着剤が塗布される。縦框２，２は、縦枠部材４１１，４１１を被覆する。
横框３，３の横框溝３３，３３の左右方向非端部には、鏡板１２の上辺部及び下辺部が嵌め込まれる。このために、横框溝３３，３３の内面には、接着剤が塗布される。横框３，３は、横枠部材４１２，４１２と、縦格子部材４３，４３，…の上下方向両端部とを被覆する。
【００３８】
横框３，３の横框基体３１，３１は、横框基体３１の貫通孔３１４，３１４，…を貫通したビス１００，１００，…（例えばアルミニウム用のタッピングネジ）によって、縦框２，２の縦框基体２１，２１にビス留めされている。このために、各横框基体３１の露出部３１０，３１０は、縦框２，２の嵌込溝２０，２０に挿入される。以上の結果、横框基体３１，３１は縦框２，２の縦框基体２１，２１に対して横勝ちに配され、縦外装部材２２，２２に対して縦勝ちに配される。
【００３９】
以上のような建具１は、縦框２及び横框３が、金属を用いてなる各縦框基体２１及び横框基体３１によって補強されている。従って、縦框２及び横框３が、木材又は木質材のみを用いてなる従来の縦框及び横框より幅狭であっても、框１１の強度低下を抑制することができる。
横框基体３１は、縦框基体２１に対して横勝ちに配されている。故に、横框基体３１が縦框基体２１に対して縦勝ちに配されている場合よりも、框１１（延いては建具１）の無用な変形が抑制される。
即ち、框１１の強度は、縦框基体２１及び横框基体３１の素材及び配置によって、向上されている。
【００４０】
本実施の形態における框１１の強度は、鏡板１２の強度が低くとも、建具１の強度低下を抑制することができるほどに高い。仮に、鏡板１２の強度が一般的な鏡板の強度以上であれば、框１１は建具１の強度を向上させることができる。
つまり、建具１の強度は、鏡板１２の強度とは無関係に、十分に高い。故に、建具１は、鏡板１２に替えて、鏡板１２とは強度又は意匠が異なる鏡板を備えていてもよい。つまり、建具１は設計の自由度が高い。
【００４１】
横框３が縦外装部材２２に対して縦勝ちに配されているので、横勝ちの場合に比べて、框１１の意匠性が向上する。
框１１は幅狭であるので、従来の框よりも目立たない。その分、鏡板１２の意匠を目立たせることができる。
また、框１１の幅が狭い分、鏡板１２の採光部の面積を大きくすることができるので、建具１の採光性を向上させることができる。
【００４２】
縦外装部材２２は木材又は木質材を用いてなるので、金属を用いてなる縦框基体２１より断熱性が高い。しかも、縦框基体２１は断熱部材２３に覆われている。また、横框基体３１は、横框基体３１よりも高い断熱性を有する横外装部材３２に覆われている。以上の結果、縦外装部材２２及び横外装部材３２に起因する建具１の断熱性の低下を抑制することができる。なお、各縦框２において縦外装部材２２による断熱が十分に行なわれるのであれば、断熱部材２３は備えていなくてもよい。
【００４３】
縦框基体２１及び横框基体３１が縦外装部材２２及び横外装部材３２に覆われているので、建具１は、金属の質感を好まないユーザにも提供することができ、金属部分の露出が不適切であるような部屋（例えば安全性重視の子供部屋）にも取り付けることができる。
【００４４】
２個の縦框基体２１，２１は、何れも熱伝達性が高いので、建具１の内部における上下方向の温度分布を均一にすることができる。故に、温度分布の不均一さに起因する建具１の歪み又は破損等を抑制することができる。
建具１の取っ手、蝶番、戸車、及び滑車は、何れも、縦外装部材２２に取り付けられる。従って、縦框基体２１及び横框基体３１は、何れも縦外装部材２２に比べて簡単な形状である。簡単な形状の金属部材は、製造又は入手が容易で安価である。
仮に、取っ手、蝶番、戸車、又は滑車を縦框基体２１又は横框基体３１に取り付ける構成である場合、縦框基体２１又は横框基体３１の形状が複雑になる。複雑な形状の金属部材は、製造又は入手が煩雑で効果である。
【００４５】
木材又は木質材と金属とを組み合わせてなる縦框２は、金属のみからなる縦框よりも材料費が安価である。
横框３の横外装部材３２は、合成樹脂を用いてなる構成に限定されず、例えば表面材２２２，２２３と同様に、木材又は木質材を用いてなる構成でもよい。横外装部材３２は、縦外装部材２２と類似の構成であってもよいが、この場合、横框３の幅が広くなりがちである。
建具１全体の強度が十分な高さであれば、建具１は、横框３に替えて従来の横框を備えている構成でもよい。
【００４６】
実施の形態  ２．
図１０は、本発明の実施の形態２に係る建具１の構成を略示する正面図である。
本実施の形態の建具１は、実施の形態１の建具１と略同様の構成である。以下では、実施の形態１との差異について説明し、その他、実施の形態１に対応する部分には同一符号を付してそれらの説明を省略する。
【００４７】
建具１は、矩形枠状の框１１と矩形状の鏡板１３とを備えている。
鏡板１３は、矩形枠部材４１、透光マット４２、及び各複数個の縦格子部材４５，４５，…及び横格子部材４６，４６，…を備えており、縦格子部材４３，４３，…は備えていない。
鏡板１３は、縦格子部材４５，４５，…及び横格子部材４６，４６，…が矩形格子状に配されてなり、縦格子部材４５，４５，…及び横格子部材４６，４６，…間に採光部を有する。
鏡板１３も、鏡板１２と同様に、一般的な鏡板に比べて強度が低い。
【００４８】
以上のような建具１は、実施の形態１の建具１と同様の作用効果を奏する。
なお、建具１が備えるべき鏡板は、実施の形態１，２の鏡板１２，１３に限定されない。例えば鏡板はフラッシュ構造又はハニカム構造等を有するものでもよく、採光部を有していないものでもよい。
【００４９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、建具１に、実施の形態１，２に開示されていない構成要素が含まれていてもよい。
【符号の説明】
【００５０】
１    建具
１０  取付部
１１  框
１２，１３  鏡板
２    縦框
２０  嵌込溝
２１  縦框基体
２２  縦外装部材
２３  断熱部材
３    横框
３１  横框基体
３２  横外装部材
【図１】
0006445324.tif 000002
【図２】
0006445324.tif 000003
【図３】
0006445324.tif 000004
【図４】
0006445324.tif 000005
【図５】
0006445324.tif 000006
【図６】
0006445324.tif 000007
【図７】
0006445324.tif 000008
【図８】
0006445324.tif 000009
【図９】
0006445324.tif 000010
【図１０】
0006445324.tif 000011